【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
長手方向の軸線（Ａ）を有する切削工具（１０）であって、インサートポケット（１８）とそこに保持される切削インサート（２０）とを備えて前方部分（１６）に形成される少なくとも一つの取付脚（１４）を有する工具本体（１２）を備え；
該インサートポケットは、
基壁（２４）と、基壁（２４）に対して横断する方向に向けられた第一及び第二の後方側壁部分（４０、４２）と、
基壁（２４）から下方に伸びていて、下壁（３０）から基壁（２４）に対して直立して延在している周囲壁（３２）によって境界された下壁（３０）を有する、ほぼ円形の凹部（２８）と、
を備え、
該切削インサートは、
上面（６０）と、下面（６２）と、それらの間に延在する側面（６４）と、
上面および側面（６０、６４）との交差する切削刃（６６）と、
下面（６２）から底面（８６）に下方に延在する、円筒状の周囲面（８４）を有する円筒状の突出部（８２）と、
を備え；
切削インサート（２０）は、切削インサート（２０）に当接するインサートポケット（１８）の第一、第二、及び第三の取付面（５２、５６、５８）で、インサートポケット（１８）に保持され、第一の取付面（５２）は、第一の後方側壁部分（４０）に位置付けされていて、それは切削インサートの側面（６４）に位置付けされた第一の支持面（５２´）に当接し、第二の取付面（５６）は、第二の後方側壁部分（４２）に位置付けされていて、それは切削インサートの側面（６４）に位置付けされた第二の支持面（５６´）に当接し、第三の取付面（５８）は、凹部（２８）の周囲壁（３２）に位置付けされていて、それは切削インサート（２０）の突出部（８２）の円筒状の周囲面（８４）に位置付けられた第三の支持面（５８´）に当接していることを特徴とする切削工具（１０）。
【請求項２】
切削刃（６６）は、コーナー切削刃（７０）によって互いから分離されている少なくとも三つの切削刃部分（６８）を備え、各切削刃部分は第二の切削刃（７４）と隣接するコーナー切削刃（７０）との間に延在している第一の切削刃（７２）を備えていることを特徴とする請求項１に記載の切削工具。
【請求項３】
第一の切削刃（７２）は凸状であることを特徴とする請求項２に記載の切削工具。
【請求項４】
第二の切削刃（７４）は真っ直ぐであることを特徴とする請求項３に記載の切削工具。
【請求項５】
側面（６４）は、第一の切削刃（７２）に隣接する第一の側面部分（７６）と、第二の切削刃（７４）に隣接する第二の側面部分（７８）と、コーナー切削刃（７０）に隣接する側面コーナー部分（８０）とを有する側面部分を備え、側面部分の各々は下面（６２）に向かって関係付けられた切削刃から延在していることを特徴とする請求項２に記載の切削工具。
【請求項６】
第一及び第二の後方側壁部分（４０、４２）は、第一の引っ込んだ領域部（４４）によって隔てられていることを特徴とする請求項５に記載の切削工具。
【請求項７】
第一の支持面（５２´）及び第二の支持面（５６´）は、共通の側面コーナー部分（８０）のいずれかの側部に位置付けられていることを特徴とする請求項６に記載の切削工具。
【請求項８】
共通の側面コーナー部分（８０）の一部分は、第一の引っ込んだ領域部（４４）に位置付けられていることを特徴とする請求項７に記載の切削工具。
【請求項９】
凹部（２８）の周囲壁（３２）は、大きいほうの半径Ｒ１を有する大径部分（３４）と、小さいほうの半径Ｒ２を有する小径部分（３６）とを備えることを特徴とする請求項４に記載の切削工具。
【請求項１０】
小さいほうの半径Ｒ２は、大きいほうの半径Ｒ１よりも小さいことを特徴とする請求項９に記載の切削工具。
【請求項１１】
小径部分（３６）の角度範囲は、大径部分（３４）の角度範囲よりも小さいことを特徴とする請求項１０に記載の切削工具。
【請求項１２】
ネジ孔（３８）は、凹部（２８）の下面（３０）から下方に伸びていることを特徴とする請求項１１に記載の切削工具。
【請求項１３】
インサートの軸線（Ｂ）を有する貫通孔（８８）は、切削インサート（２０）の上面（６０）と突出部（８２）の底面（８６）との間に伸びていることを特徴とする請求項１２に記載の切削工具。
【請求項１４】
留めネジ（２２）は、貫通孔（８８）に位置付けられ、ネジ孔（３８）に螺合されることを特徴とする請求項１３に記載の切削工具。
【請求項１５】
第一の切削刃（７２）は、インサートの軸線（Ｂ）と７０°の第一の角（α）に対することを特徴とする請求項１３に記載の切削工具。
【請求項１６】
第二の切削刃（７４）は、インサートの軸線と３５°の第二の角（β）に対することを特徴とする請求項１５に記載の切削工具。
【請求項１７】
第一の切削刃（７２）は、隣接する第二の切削刃（７４）と、とがっていない内側の第三の角（γ）を形成することを特徴とする請求項１６に記載の切削工具。
【請求項１８】
第三の角は、１５３°であることを特徴とする請求項１７に記載の切削工具。
【請求項１９】
上面（６０）と、下面（６２）と、それらの間に延在する側面（６４）と、上面と側面（６０、６４）との交差する切削刃（６６）と、下面（６２）から突出部（８２）の底面（８６）に下方に延在する円筒状の周囲面（８４）を有する円筒状の突出部（８２）とを備え、上面及び底面（６０、８６）を貫通するインサートの軸線（Ｂ）を有する切削インサート（２０）であって；
該切削刃（６６）は、コーナー切削刃（７０）によって互いから分離されている少なくとも三つの切削刃部分（６８）を備え、各切削刃部分は第二の切削刃（７４）と隣接するコーナー切削刃（７０）との間に延在している第一の凸状の切削刃（７２）を備えていることを特徴とする切削インサート（２０）。
【請求項２０】
第二の切削刃（７４）は、真っ直ぐであることを特徴とする請求項１９に記載の切削インサート。
【請求項２１】
第一の切削刃（７２）は、インサートの軸線（Ｂ）と７０°の第一の角（α）に対することを特徴とする請求項２０に記載の切削インサート。
【請求項２２】
第二の切削刃（７４）は、インサートの軸線（Ｂ）と３５°の第二の角（β）に対することを特徴とする請求項２１に記載の切削インサート。
【請求項２３】
第一の切削刃（７２）は、隣接する第二の切削刃（７４）と、とがっていない内側の第三の角（γ）を形成することを特徴とする請求項２２に記載の切削インサート。
【請求項２４】
第三の角は１５３°であることを特徴とする請求項２３に記載の切削インサート。
【請求項２５】
インサートの軸線（Ｂ）を軸として有する貫通孔（８８）は、切削インサート（２０）の上面（６０）と突出部（８２）の底面（８６）との間に伸びていることを特徴とする請求項２４に記載の切削インサート。
【手続補正２】
【補正対象書類名】明細書
【補正対象項目名】００１３
【補正方法】変更
【補正の内容】
【００１３】
さらに、本発明の好ましい実施形態に従って、側面（６４）は、第一の切削刃（７２）に隣接する第一の側面部分（７６）と、第二の切削刃（７４）に隣接する第二の側面部分（７８）と、コーナー切削刃（７０）に隣接する側面コーナー部分（８０）とを有する側面部分を備え、側面部分の各々は下面（６２）に向かって関係付けられた切削刃から延在している。
【手続補正３】
【補正対象書類名】明細書
【補正対象項目名】００１５
【補正方法】変更
【補正の内容】
【００１５】
さらに好ましい実施形態に従って、第一の支持面（５２´）及び第二の支持面（５６´）は、共通の側面コーナー部分（８０）のいずれかの側部に位置付けられている。
【手続補正４】
【補正対象書類名】明細書
【補正対象項目名】００１８
【補正方法】変更
【補正の内容】
【００１８】
さらに好ましくは、小さいほうの半径Ｒ２は、大きいほうの半径Ｒ１よりも小さい。
【手続補正５】
【補正対象書類名】明細書
【補正対象項目名】００３７
【補正方法】変更
【補正の内容】
【００３７】
側壁２６は、三つの側壁部分、すなわち二つの後方の側壁部分、第一の引っ込んだ領域部４４によって隔てられる第一の後方側壁部分４０及び第二の後方側壁部分４２と、横側壁部分４６である。第一の後方側壁部分４０は、横側壁部分４６に隣接し、第二の引っ込んだ領域部４８によってそれから分離されている。第一の後方側壁部分４０は、第一の引っ込んだ領域部４４に隣接する領域部５０を有し、その少なくとも一部は、切削インサート２０に当接する第一の取付面５２を構成する。同様に、第二の後方側壁部分４２は、第一の引っ込んだ領域部４４に隣接する領域部５４を有し、その少なくとも一部は、切削インサート２０に当接する第二の取付面５６を構成する。また、小径部分３６の少なくとも一部分は、切削インサート２０に当接する第三の取付面５８を構成する。詳細に後述するように、第一、第二及び第三の取付面は、上手に画成され、且つ安定した状態で、インサートポケット１８の中に切削インサート２０を保持するために設計されている。
【手続補正６】
【補正対象書類名】明細書
【補正対象項目名】００３９
【補正方法】変更
【補正の内容】
【００３９】
切削インサート２０は、上面６０と、下面６２と、上及び下面６０、６２の間に延在する側面６４を備えている。上面６０と側面６４は、切削刃６６で相交わり、切削刃６６はコーナー切削刃７０によって互いから分離された三つの切削刃部分６８を備えている。その三つの切削刃部分の各々は、凸状の第一の切削刃７２を備え、その凸状の第一の切削刃７２はまっすぐな第二の切削刃７４と、隣接するコーナー切削刃７０との間に延在している。側面６４は、様々な切削刃に対応する部分に分けられている。それに従って、側面６４は、第一の切削刃７２に隣接する第一の側面部分７６と、第二の切削刃７４に隣接する第二の側面部分７８と、コーナー切削刃７０に隣接する側面コーナー部分８０とを有している。円筒形の周囲面８４を有する円筒形の突出部８２は、下面６２から突出部８２の底面８６まで下方に伸びている。周囲面８４は、下面６２に直角である。インサートの軸線Ｂを有する中央に位置付けされた貫通孔８８は、上面６０と底面８６との間に伸びている。突出部８２は、突出部の半径Ｒ３を有する。突出部の半径Ｒ３は、大きいほうの半径Ｒ１よりも小さく、小さいほうの半径Ｒ２とほぼ等しい。
【手続補正７】
【補正対象書類名】明細書
【補正対象項目名】００４２
【補正方法】変更
【補正の内容】
【００４２】
ネジ孔３８のポケットの軸線Ｃは、インサートの軸線Ｂに関してわずかにオフセットされている。このオフセット、すなわち偏心は、留めネジ２２がしっかり締められているとき、切削インサート上に、取付面５２、５６、５８によって、取付力が及ぼされるように設けられていて、インサートポケット１８内での切削インサート２０の適切に定められた位置を得るために、切削インサート２０に予め張力を供与している。第三の取付面５８はポケットの軸線Ｃについて同一中心である面上にあるので、切削インサートの突出部８２上にそれによって加えられている取付力は、インサートの軸線Ｂに向かう方向を向けられていて、それ故、インサートの軸線Ｂまわりの切削インサートの回転に寄与し得ない。第一及び第二の取付面５２、５６の各々の位置及び方向は、インサートの側面６４に対してこれらの取付面によって加えられる切削条件下での正味の取付力がインサートの軸線Ｂまわりの切削インサートの回転を起こさせるもとにならないように設計されている。換言すれば、第一及び第二の取付面５２、５６の取付力の作用線は、インサートの軸線Ｂについての反対の方向に作用して、相殺する。それ故、本発明は、インサートポケット１８内での切削インサート２０の独自の、且つ安定した位置を保障する。